(57)【特許請求の範囲】
【請求項１】
被めっき材を投入する開口部を有するバレル本体、および該開口部に取り付けられる蓋体を備えるめっき用バレルであって、
前記バレル本体は前記開口部の近傍に設けられた掛止溝を有し、
前記蓋体は、
前記開口部を覆うメッシュ部材を前記開口部に固定する固定枠と、
前記固定枠の上に配置される支持枠と、
前記支持枠に設けられ前記掛止溝に掛止して該支持枠の開放方向の移動を規制する爪と、
前記支持枠に取り付けられたカムと、
を有し、
前記カムを回転させることによって前記支持枠から前記固定枠を離間させ、該固定枠を前記メッシュ部材に押圧することを特徴とするめっき用バレル。
【請求項２】
前記掛止溝はＬ字形状であって、
前記支持枠は前記固定枠にスライド可能に取り付けられていて、前記固定枠を前記本体に当接させた状態で、前記支持枠をスライドさせて前記掛止溝に掛止させることを特徴とする請求項１に記載のめっき用バレル。
【請求項３】
前記カムが複数連結されるハンドルを更に有し、
前記ハンドルを回転させることにより前記複数のカムを一括して回転可能であることを特徴とする請求項１または２に記載のめっき用バレル。
【請求項４】
前記ハンドルには、前記固定枠を前記メッシュ部材に押圧した状態で該ハンドルを前記支持枠に固定するロック部材が設けられていることを特徴とする請求項３に記載のめっき用バレル。
【発明の詳細な説明】
【技術分野】
【０００１】
本発明は、被めっき材を投入する開口部を有するバレル本体、および開口部に取り付けられる蓋体とを備え、被めっき材を内部に保持し、めっき液に浸漬して回転させながらめっき処理を施すためのめっき用バレルに関するものである。
【背景技術】
【０００２】
従来から、多数の小型部品を同時にめっきする場合は、透液性を有するめっき用バレル内に部品（以下、被めっき材と称する）を投入し、バレル全体をめっき液に浸漬し、バレルを回転させながらめっき処理を行っている（例えば特許文献１や特許文献２）。小型部品の例としては、各種金具や棒材、コネクタのような小型部品、さらに近年では電子チップのような極小の電子部品などが挙げられる。
【先行技術文献】
【特許文献】
【０００３】
【特許文献１】特開２００６−０２２３４４号公報
【特許文献２】特開２００７−２９１４４６号公報
【発明の概要】
【発明が解決しようとする課題】
【０００４】
めっき用バレルの本体には被めっき材を投入するための開口があり、本体内に被めっき材を投入したら開口に蓋体が取り付けられる。従来では特許文献１のようなロックプレート、すなわち回転式のカンヌキのような部材で蓋体を本体に取り付けていた。しかし、このような構成であると、本体と蓋体との間に隙間が生じやすい。このため、被めっき材が極小な部品であると、めっき処理時にバレルを回転させた際に隙間から被めっき材が抜け落ちてしまうおそれがあった。
【０００５】
一方、特許文献２では、蓋体を本体にネジ止めによって固定している。このような構成によれば、蓋体を本体に強く圧接させる。このため上述したような隙間が生じにくく、バレル本体からの被めっき材の抜け落ちを好適に防ぐことができる。しかし、蓋体をネジ止めする構成であると、蓋体の取り付けおよび取り外しの作業が煩雑となり、作業効率が低下してしまうという問題を有していた。
【０００６】
本発明は、このような課題に鑑み、被めっき材の抜け落ちを好適に防ぎつつ、蓋体の取り付けおよび取り外し作業を容易に行うことが可能なめっき用バレルを提供することを目的としている。
【課題を解決するための手段】
【０００７】
上記課題を解決するために、本発明にかかるめっき用バレルの代表的な構成は、被めっき材を投入する開口部を有するバレル本体、および開口部に取り付けられる蓋体を備えるめっき用バレルであって、バレル本体は開口部の近傍に設けられた掛止溝を有し、蓋体は、開口部を覆うメッシュ部材を開口部に固定する固定枠と、固定枠の上に配置される支持枠と、支持枠に設けられ掛止溝に掛止して支持枠の開放方向の移動を規制する爪と、支持枠に取り付けられたカムと、を有し、カムを回転させることによって支持枠から固定枠を離間させ、固定枠をメッシュ部材に押圧することを特徴とする。
【０００８】
上記構成によれば、まず支持枠の爪をバレル本体の掛止溝に掛止することにより、支持枠およびその下に配置された固定枠がバレル本体の開口部に仮固定される。このとき、支持枠はバレル本体に対し、開放方向の移動が規制される。そして、支持枠に取り付けられたカムを回転させることによって、カムは支持枠と固定枠との間で突っ張った状態となる。これにより、支持枠と固定枠とが離間し、固定枠は、メッシュ部材が介在した状態で開口部に押圧され、バレル本体に固定される。その結果、固定枠とバレル本体との間が密閉された状態となるため、それらの間に間隙が生じにくくなり、被めっき材の抜け落ちが好適に防がれる。また蓋体の取り付け作業は、掛止溝への爪の掛止およびカムの回転のみであるため、従来のネジを回すような煩雑な作業が不要となり、作業効率を高めることが可能となる。
【０００９】
上記掛止溝はＬ字形状であって、支持枠は固定枠にスライド可能に取り付けられていて、固定枠を本体に当接させた状態で、支持枠をスライドさせて掛止溝に掛止させるとよい。かかる構成のように掛止溝をＬ字形状とすることにより、支持枠の開放方向（バレル本体から外れる方向）への移動を確実に規制することができる。そして、支持枠は固定枠にスライド可能に取り付けられることにより、支持枠と固定枠とをユニット化させることができる。また取り付け作業が容易であり、作業効率をより高めることが可能となる。
【００１０】
上記カムが複数連結されるハンドルを更に有し、ハンドルを回転させることにより複数のカムを一括して回転可能であるとよい。このように複数のカムを設けることにより、固定枠を全周に亘ってより均等に押圧することができ、間隙の抑制ひいては被めっき材の抜け落ちをより好適に防ぐことができる。またハンドルを回転させることで複数のカムを一括して回転可能であることで、カムを複数設けた場合であっても取り付けおよび取り外し作業を効率的に行うことが可能である。
【００１１】
上記ハンドルには、固定枠をメッシュ部材に押圧した状態でハンドルを支持枠に固定するロック部材が設けられているとよい。これにより、ハンドルを支持枠に確実に固定することができ、めっき処理中のハンドルひいてはカムのずれ（カムの不用意な回転）を抑制することが可能となる。
【発明の効果】
【００１２】
本発明によれば、被めっき材の抜け落ちを好適に防ぎつつ、蓋体の取り付けおよび取り外し作業を容易に行うことが可能なめっき用バレルを提供することができる。
【図面の簡単な説明】
【００１３】
【図１】図１は、本実施形態にかかるめっき用バレルを説明する図である。
【図２】図１に示す蓋体の詳細を説明する斜視図である。
【図３】図１に示す蓋体の詳細を説明する斜視図である。
【図４】バレル本体への蓋体の取付を説明する図である。
【図５】バレル本体への蓋体の取付を説明する図である。
【図６】図４（ｂ）および図５（ｂ）の模式的な側面図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
図１は、本実施形態にかかるめっき用バレル１００を説明する図であり、めっき用バレル１００を正面から観察した状態を図示している。図１に示すように、本実施形態のめっき用バレル１００は、被めっき材１０２を投入する開口部１１０ａを有するバレル本体１１０、およびその開口部１１０ａに取り付けられる蓋体２００を含んで構成される。
【００１６】
図２および図３は、図１に示す蓋体２００の詳細を説明する斜視図である。図２では、蓋体２００を構成する各部品を分解した状態を図示していて、図３では、蓋体２００を構成する各部品を組み合わせた状態を図示している。なお、図２および図３では、図１に示すバレル本体１１０のうち、開口部１１０ａの近傍のみを図示し、図１に示すメッシュ部材２０２を不図示としている。
【００１７】
図１に示すように、バレル本体１１０は、開口部１１０ａから被めっき材１０２が投入され、それを内部に保持する。図２および図３に示すように、バレル本体１１０の開口部１１０ａの近傍には、後述する爪２２２を掛止する掛止溝１１２が形成されている。
【００１８】
図１および図２に示すように、蓋体２００は、メッシュ部材２０２（図１にのみ図示）を固定するための固定枠２１０、支持枠２２０、カム２３０ａ〜カム２３０ｄおよびハンドル２４０を含んで構成される。固定枠２１０のメッシュ部材２０２側にはシリコンパッキン２１４が取り付けられていて、その弾性によってカム２３０ａ〜２３０ｄによる押圧力を緩和する。メッシュ部材２０２は、図１に示すバレル本体１１０の開口部１１０ａを覆う部材である。メッシュ部材２０２は、固定枠２１０によってバレル本体１１０の開口部１１０ａに固定される。ただし、メッシュ部材２０２に代えてアクリルの孔板であってもよいし、固定枠２１０自体が枠ではなくて孔板になっていてもよい。
【００１９】
図２および図３に示すように、固定枠２１０は開口部２１０ａが設けられている。開口部２１０ａにはメッシュ部材２０２が露出し、メッシュ部材２０２を通してめっき液がバレル本体１１０の内外に流通する。
【００２０】
固定枠２１０の上方には支持枠２２０が配置される。支持枠２２０には、上述したバレル本体１１０の掛止溝１１２に掛止されて支持枠２２０の開放方向の移動を規制する爪２２２が形成されている。また支持枠２２０には、複数のカム２３０ａ・２３０ｂ・２３０ｃ・２３０ｄがネジ部材２３２によって回転自在に取りけられる。更に本実施形態では、複数のカム２３０ａ〜２３０ｄはハンドル２４０に回転自在に連結されている。これにより、ハンドル２４０を回転させることによって、複数のカム２３０ａ〜２３０ｄを一括して回転できるように構成されている。
【００２１】
支持枠２２０には長穴２２８が形成されていて、この長穴２２８に挿通させた固定部材２１２（ネジ）によって固定枠２１０に取り付けられている。これにより、支持枠２２０は固定枠２１０にスライド可能に取り付けられている。したがって、固定枠２１０をバレル本体１１０の開口部１１０ａに当接させた状態で、支持枠２２０のみをスライドさせて、掛止溝１１２に爪２２２を掛止させることができる。
【００２２】
図４および図５は、バレル本体１１０への蓋体２００の取付を説明する図である。図３に示すように組み立てた蓋体２００をバレル本体１１０に取り付ける際には、まず支持枠２２０の爪２２２をバレル本体１１０の掛止溝１１２に掛止する。このとき特に、本実施形態の掛止溝１１２はＬ字形状であり、支持枠２２０はバレル本体１１０に対してまっすぐ挿入した後に、横にスライドさせて掛止させる。
【００２３】
詳細には、図４（ａ）に示すように爪２２２を掛止溝１１２内に挿入し、図４（ｂ）に示すように掛止溝１１２のＬ字の横方向の先端に向かって爪２２２を（すなわち支持枠２２０を）スライドさせる。これにより、爪２２２が掛止溝１１２に掛止され、支持枠２２０は、開放方向（バレル本体１１０から外れる方向）への移動が規制される。そして、支持枠２２０およびその下に配置された固定枠２１０、すなわち蓋体２００がバレル本体１１０の開口部１１０ａに仮固定される。このように支持枠２２０を固定枠２１０にスライド可能に取り付けてあることにより、支持枠２２０と固定枠２１０とをユニット化させることができる。また、取付作業を容易にすることができ、作業効率の向上を図ることが可能となる。
【００２４】
上述したように蓋体２００をバレル本体１１０に仮固定したら、図５（ａ）に示すようにハンドル２４０を操作してカム２３０ａ〜２３０ｄを前方に向かって回転させる。カム２３０ａ〜２３０ｄが回転しきると、蓋体２００は図５（ｂ）に示す状態となる。このとき本実施形態では、複数のカム２３０ａ〜２３０ｄがハンドル２４０に連結されていることから、カム２３０ａ〜２３０ｄの回転方向にハンドル２４０を回転させることにより、複数のカム２３０ａ〜２３０ｄを一括して回転させることができる。これにより、複数のカム２３０ａ〜２３０ｄをそれぞれ回転させる手間が省けるため、蓋体２００の取り付けおよび取り外し作業を効率的に行うことが可能である。
【００２５】
図６は、図４（ｂ）および図５（ｂ）の模式的な側面図であり、図６（ａ）は図４（ｂ）の側面を、図６（ｂ）は図５（ｂ）の側面を観察した状態を模式的に示している。図４（ｂ）に示すようにカム２３０ａ〜２３０ｄを回転させる前は、図６（ａ）に示すように固定枠２１０と支持枠２２０の距離が近くなっている。
【００２６】
図５（ｂ）に示すようにカム２３０ａ〜２３０ｄを回転させた後は、図６（ｂ）に示すようにカム２３０ａ〜２３０ｄが支持枠２２０と固定枠２１０との間で突っ張った状態となり、支持枠２２０から固定枠２１０が離間する。これにより、固定枠２１０は、カム２３０ａ〜２３０ｄによってメッシュ部材２０２を介して開口部１１０ａに押圧され、蓋体２００がバレル本体１１０に固定される。このとき、カム２３０ａ〜２３０ｄによって強く押圧されていることにより、固定枠２１０とバレル本体１１０との間が密閉された状態となる。したがって、それらの間に間隙が生じにくくなり、被めっき材１０２の抜け落ちを好適に防ぐことができる。
【００２７】
特に本実施形態では、上述したように支持枠２２０に対して複数のカム２３０ａ〜２３０ｄを設けている。これにより、固定枠２１０を全周に亘ってより均等に押圧することができ、間隙の抑制ひいては被めっき材１０２の抜け落ちを防ぐ効果を更に高めることが可能である。また上記説明したように、掛止溝１１２への爪２２２の掛止およびカム２３０ａ〜２３０ｄの回転のみで蓋体を１１０に取り付けることができるため、従来のネジを回すような煩雑な作業が不要となり、作業効率の向上が図られる。
【００２８】
更に本実施形態では、ハンドル２４０に、図５（ｂ）に示すように固定枠２１０をメッシュ部材２０２（図１参照）に押圧した状態でかかるハンドル２４０を支持枠２２０に固定するロック部材２５０を設けている。詳細には、図２に示すように、ロック部材２５０はネジ状の部材であり、支持枠２２０にはこのロック部材が挿通される挿通孔２２６を設けている。これにより、ハンドル２４０が支持枠２２０に確実に固定される。したがって、めっき処理中のハンドル２４０のずれ、ひいてはカム２３０ａ〜２３０ｄの不用意な回転を抑制することが可能となる。
【００２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３０】
例えば、固定枠２１０を抑えるためのカムの数は、上記実施形態では４つであると説明したが、固定枠２１０の大きさに応じて増減してよい。また１つのハンドル２４０に連結するカムの数も、カムの距離などに応じて適宜変更してよい。さらに、固定枠２１０が大きい場合には、１つの固定枠２１０に複数の支持枠２２０をそれぞれスライド可能に取り付けることができる。
【産業上の利用可能性】
【００３１】
本発明は、被めっき材を投入する開口部を有するバレル本体、および開口部に取り付けられる蓋体とを備え、被めっき材を内部に保持し、めっき液に浸漬して回転させながらめっき処理を施すためのめっき用バレルに利用することができる。
【符号の説明】
【００３２】
１００…めっき用バレル、１０２…被めっき材、１１０…バレル本体、１１０ａ…開口部、１１２…掛止溝、２００…蓋体、２０２…メッシュ部材、２１０…固定枠、２１０ａ…開口部、２１２…固定部材、２１４…シリコンパッキン、２２０…支持枠、２２２…爪、２２４…取付孔、２２６…挿通孔、２２８…長穴、２３０ａ…カム、２３０ｂ…カム、２３０ｃ…カム、２３０ｄ…カム、２３２…ネジ部材、２４０…ハンドル、２５０…ロック部材
【図１】
0006361974.tif 000002
【図２】
0006361974.tif 000003
【図３】
0006361974.tif 000004
【図４】
0006361974.tif 000005
【図５】
0006361974.tif 000006
【図６】
0006361974.tif 000007